【事件の表示】
　特願２０１０−　１１７９５「遊技機」拒絶査定不服審判事件〔平成２２年　５月２０日出願公開、特開２０１０−１１０６５０〕について、次のとおり審決する。
【結　論】
　本件審判の請求は、成り立たない。
【理　由】
１．手続の経緯
　本願は、平成１３年５月１日に出願した特願２００１−１３３７４５号の一部を平成２２年１月２２日に新たな特許出願としたものであって、平成２３年４月２８日付け（発送：５月１７日）で拒絶査定され、これに対し、同年７月１５日に拒絶査定不服審判の請求がなされ、同日付けで手続補正がなされ、当審において、同年９月６日付け（発送：９月１３日）で審査官の前置報告書に基づく審尋がなされ、同年１１月４日付けで回答書が提出されたものである。
　
２．平成２３年７月１５日付けの手続補正についての補正却下の決定
　
［補正却下の決定の結論］
　平成２３年７月１５日付けの手続補正（以下「本件補正」という。）を却下する。
　
［理由］
（１）補正後の本願発明
　本件補正は、補正前の請求項１に記載された
「【請求項１】
　遊技動作を統括する主制御手段と、
　該主制御手段からのコマンドを受信し、受信したコマンドに応じて周辺装置の動作制御を行う副制御手段と、を備えた遊技機において、
　前記コマンドは、１バイト長のモードデータと、１バイト長のイベントデータと、からなり、
　前記主制御手段は、前記コマンドを送信する際に、１つのデータ有効信号及び１つのストローブ信号を前記副制御手段に送信し、
　前記副制御手段は、前記１つのデータ有効信号の受信に応じて割り込み処理を発生させ、前記割り込み処理によって、前記１つのストローブ信号の立ち上がりを契機として、前記モードデータを受信するとともに、前記１つのストローブ信号の立ち下がりを契機として、前記イベントデータを受信することを特徴とする遊技機。」
という発明を、
「【請求項１】
　遊技動作を統括する主制御手段と、
　該主制御手段からのコマンドを受信し、受信したコマンドに応じて周辺装置の動作制御を行う副制御手段と、を備えた遊技機において、
　前記コマンドは、１バイト長のモードデータと、１バイト長のイベントデータと、からなり、
　前記主制御手段は、前記コマンドを送信する際に、１つのデータ有効信号及び１つのストローブ信号を
通常通信手順として
するとともに、前記通常通信手順以外の通信手順で送信が行われた場合には異常であることを報知
　前記副制御手段は、前記１つのデータ有効信号の受信に応じて割り込み処理を発生させ、前記割り込み処理によって、前記１つのストローブ信号の立ち上がりを契機として、前記モードデータを受信するとともに、前記１つのストローブ信号の立ち下がりを契機として、前記イベントデータを受信することを特徴とする遊技機。」
という発明に変更することを含むものである（下線部は補正箇所を示す。）。
　
（２）補正の適否
　本件補正は、特許請求の範囲について、以下に挙げる補正事項を含むものである。
（ａ）補正前の請求項１における「前記主制御手段は、前記コマンドを送信する際に、１つのデータ有効信号及び１つのストローブ信号を前記副制御手段に送信し」という事項を、
　「前記主制御手段は、前記コマンドを送信する際に、１つのデータ有効信号及び１つのストローブ信号を
通常通信手順として
するとともに、前記通常通信手順以外の通信手順で送信が行われた場合には異常であることを報知
　
上記補正事項について検討する。
　補正事項（ａ）については、データ有効信号とストローブ信号の送信制御の内容を限定するものであるが、「前記主制御手段は、・・・前記通常通信手順以外の通信手順で送信が行われた場合には異常であることを報知」する構成は、願書に最初に添付した明細書、特許請求の範囲及び図面（以下「当初明細書等」という。）には記載されていない。以下、その理由を説明する。
　
　段落【００５５】には「（他の実施形態）図１８は、他の実施形態の構成図である。主制御部２００がデータ有効信号をローレベルにした状態でストローブ信号の立上げや立ち下げをしたことをＣＰＵ１０２０が検知する等の、通常通信手順以外の通信手順での動作が行われた場合にはＣＰＵ１０２０はＬＥＤ１８００を点灯する。」と、
　段落【００５６】には「したがって、ＣＰＵ１０２０は通常通信手順以外の通信手順が行われた時にＬＥＤ１８００を点灯して異常事態が発生したことを通知することが可能になる。なお、この例ではＬＥＤ１８００の点灯で異常事態発生を通知したが、音等で通知するようにしても良い。」と記載されており、
　副制御手段である特別図柄表示装置１００のＣＰＵ１０２０が、データ有効信号の状態とストローブ信号の立上げや立ち下げをしたことを検知し、通常通信手順以外の通信手順が行われた時にＬＥＤ１８００を点灯するか音等で異常事態が発生したことを報知する点は記載されているが、「主制御手段」が「通常通信手順以外の通信手順で送信が行われた場合には異常であることを報知」する構成は記載されているとはいえず、当初明細書等のすべての記載を総合することにより導かれる技術的事項との関係において、新たな技術的事項を導入しないものであるともいえない。
　
　請求人は平成２３年１１月４日付け回答書の「（３）意見」において、「当初明細書の段落００５６には、異常報知の別実施例として「なお、この例では、ＬＥＤ１８００の点灯で異常事態発生を通知したが、音等で通知するようにしても良い。」と記載されている。そして、音の出力制御については、段落００１７及び図２に示すように、主制御部２００が効果音発生装置１１６を制御している。」と主張するが、
　段落【００５５】、【００５６】及び図１８に記載されているように、通常通信手順以外の通信手順が行われた時にＬＥＤ１８００を点灯して異常事態が発生したことを通知するのは、副制御手段である特別図柄表示装置１００のＣＰＵ１０２０であり、通常通信手順以外の通信手順で送信が行われた場合を判断しているのも、段落【００５５】の記載からＣＰＵ１０２０であることが明らかであって、
　段落【００５６】における、「なお、この例ではＬＥＤ１８００の点灯で異常事態発生を通知したが、音等で通知するようにしても良い。」という記載は、「ＬＥＤ１８００」の代わりにスピーカ等を設け、ＣＰＵ１０２０が該スピーカ等を制御することにより音等を発して異常事態が発生したことを通知するようにしても良いという趣旨であると解すべきである。
　なぜなら、仮に請求人が主張するように、通常通信手順以外の通信手順で送信が行われた場合に、主制御部２００が、効果音発生装置を制御して音による異常事態発生を通知するものとすれば、（ｉ）主制御部２００自体が通常通信手順以外の通信手順で送信が行われた場合を判断して効果音発生装置を制御する、（ii）主制御部２００が何処からか通常通信手順以外の通信手順で送信が行われた旨の情報を得て効果音発生装置を制御する、の２通りが考えられるところ、
　上記（ｉ）については、上記のとおり段落【００５５】の記載によれば、通常通信手順以外の通信手順で送信が行われた場合を判断しているのはＣＰＵ１０２０であり、主制御部２００自体が通常通信手順以外の通信手順で送信が行われた場合を判断する構成についての記載又はそのような構成を示唆するような記載を、当初明細書等に見出すことができず、
　上記（ii）については、段落【００１８】に「さらに主制御部２００から特別図柄表示装置１００へコマンドを送信するのみの一方向通信による通信形態を採っている。」と記載されているので、特別図柄表示装置１００のＣＰＵ１０２０は、主制御部２００に対して通常通信手順以外の通信手順で送信が行われた旨の情報を送信できないことが明らかであり、主制御部２００に対して通常通信手順以外の通信手順で送信が行われた旨の情報を送信する構成についての記載又はそのような構成を示唆するような記載を、当初明細書等に見出すことができないため、
　上記（ｉ）及び（ii）ともに、当初明細書等のすべての記載を総合しても導き出せる構成ではないからである。
　
　したがって、本件補正は、特許法第１７条の２第３項の規定に違反するので、同法第１５９条第１項において読み替えて準用する同法第５３条第１項の規定により却下すべきものである。
　
３．本願発明について
（１）本願発明
　平成２３年７月１５日付けの手続補正は上記のとおり却下されたので、請求項１に係る発明は、同年４月１４日付け手続補正書により補正された特許請求の範囲に記載されたとおりのものである。
　
　そして、その請求項１により特定される発明は次のとおりである。
「【請求項１】
　遊技動作を統括する主制御手段と、
　該主制御手段からのコマンドを受信し、受信したコマンドに応じて周辺装置の動作制御を行う副制御手段と、を備えた遊技機において、
　前記コマンドは、１バイト長のモードデータと、１バイト長のイベントデータと、からなり、
　前記主制御手段は、前記コマンドを送信する際に、１つのデータ有効信号及び１つのストローブ信号を前記副制御手段に送信し、
　前記副制御手段は、前記１つのデータ有効信号の受信に応じて割り込み処理を発生させ、前記割り込み処理によって、前記１つのストローブ信号の立ち上がりを契機として、前記モードデータを受信するとともに、前記１つのストローブ信号の立ち下がりを契機として、前記イベントデータを受信することを特徴とする遊技機。」(以下、この発明を「本願発明」という。)
　
（２）引用文献に記載された事項
　原査定の拒絶の理由（平成２３年２月１４日付け拒絶理由通知）において引用文献１として引用された特開２０００−１５３０３０号公報（以下、「引用例１」という。）には、図面とともに、以下の事項が記載されている。
（ア）「【請求項１】　所定条件が満足されて、可変表示可能な表示部を有する可変表示手段の表示パターンが所定のものとなって、遊技者にとって有利な遊技状態とする遊技機であって、
与えられた表示制御指令にしたがって、前記可変表示手段の表示制御を行う表示制御手段と、
前記遊技機の遊技状態を制御すると共に、制御動作に応じて前記表示制御指令を出力する遊技制御手段と、を備え、
前記遊技制御手段は、前記表示制御指令を単一の表示制御指令機能のみを有するように定義されたコマンドとして、１コマンドずつ前記表示制御手段に与えることを特徴とする遊技機。」
（イ）「【００１８】図２は、このような遊技状態が制御される遊技機の主要部のみを示した制御ブロック図である。主制御部２００は、ＣＰＵを内蔵したマイクロコンピュータシステムで構成されていて、後に説明する各種のコマンドを格納するコマンドデータテーブル２０２および一連の遊技機制御手順を記述した制御プログラムや制御データを格納するＲＯＭ２０１とワークエリアを有するＲＡＭ２０３とが設けられて、一体型のワンチップマイコンで構成されている。」
【００１９】主制御部２００には、入力ポート２１０を介して、特別図柄始動口１０４内部に配置され遊技玉の特別図柄始動口１０４への入賞を検出する特別図柄始動スイッチ３０４、普通図柄作動ゲート１０２の内部に配置され遊技玉のゲート通過を検出する普通図柄作動スイッチ３０６、および、大入賞口１０６の内部に配置され遊技玉の大入賞口１０６への入賞を検出する大入賞口スイッチ３０８が接続され、主制御部２００は各検出信号を受信可能となっている。
【００２０】また、主制御部２００には、出力ポート２１５を介して、特別図柄やキャラクタを表示する表示部を３つ有して夫々を独立して可変表示可能でＬＣＤ等で実現される特別図柄表示装置１００、ランプを点灯制御するランプ表示装置１１０、１１２、効果音を発生させる効果音発生装置１１６、例えば７セグメント表示デバイスで実現される普通図柄表示装置１０８、始動口の開閉部材１２０を開閉制御するための始動口作動ソレノイド３００、および、大入賞口１０６の幅広な開閉部材を開閉制御するための大入賞口作動ソレノイド３０２が接続され、主制御部２００は各装置を制御するための制御信号を送信可能となっている。」
（ウ）「【００２２】また、特別図柄表示装置１００、ランプ表示装置１１０、１１２、および、効果音発生装置１１６は、制御動作を行うＣＰＵ、このＣＰＵが行う制御手順を記述したＲＯＭ、ワークエリア等として機能するＲＡＭ等の電子デバイスを備えていて、主制御部２００から供給される制御指令を受信し、受信した制御指令に基づいて各装置の動作制御が行われるようになっている。
【００２３】さて、図１２に示すように、主制御部２００から特別図柄表示装置１００に送られる表示制御用のコマンドは、コマンドの分類を識別するための識別子で１バイト長のモード（ＭＯＤＥ）と、実行されるコマンドの内容（機能）を示す１バイト長の情報であるイベント（ＥＶＥＮＴ）とでなっており、図６乃至図８は、ＲＯＭ２０３に格納されたコマンドデータテーブル２０２に格納されたデータを示している。」
（エ）「【００２７】図３は、特別図柄表示装置１００のブロック構成図である。特別図柄表示装置１００は、主制御部２００からのストローブ信号やコマンドを受信するためのデータ受信回路１１４０（データレベルを変換する電圧変換回路を含む）と、この電圧変換回路等に電源供給を行う電源回路１１６０と、受信したコマンドに基づいて表示制御を行うために必要な制御データを生成して画像処理用ＬＳＩ（ＶＤＰ）１０６０に出力するＣＰＵ１０２０と、ＣＰＵ１０２０の動作手順を記述したプログラムを内蔵するプログラムＲＯＭ１０４０と、ワークエリアやバッファメモリとして機能するＲＡＭ１０９０と、画像展開処理を行う画像処理用ＬＳＩ（ＶＤＰ）１０６０と、画像処理用ＬＳＩ（ＶＤＰ）１０６０が展開した画像データを一時記憶するビデオＲＡＭ１０８０と、画像処理用ＬＳＩ（ＶＤＰ）１０６０が画像展開するために必要なデータを格納したキャラクタＲＯＭ１１８０と、ビデオＲＡＭ１０８０に一時記憶された画像データを受け取って送出するＬＣＤパネル用インターフェイス回路１１００と、このＬＣＤパネル用インターフェイス回路１１００から送出された画像データを用いて表示画像を出力するＬＣＤパネル１１２０とを有している。」
（オ）「【００２９】そして、特別図柄表示装置１００のＣＰＵ１０２０は、データ受信回路１１４０が受信したコマンドデータに応じて生成した制御データを画像処理用ＬＳＩ（ＶＤＰ）１０６０に与えると、画像処理用ＬＳＩ（ＶＤＰ）１０６０は、キャラクタイメージデータ領域から獲得したキャラクタデータを解凍してパレットデータ領域から獲得した色彩データで色付けして、シナリオデータ領域から獲得した情報で指定されたビデオＲＡＭ１０８０上の位置に画像展開したデータを一時格納し、一時格納したデータをＬＣＤパネル用インターフェイス回路１１００に送ることによって、ＬＣＤパネル１１２０によって可変表示を含む様々な画像表示処理が行われる。
【００３０】また、図５は、コマンドの送受信タイミングを示したタイミングチャートである。前述したように、コマンドは、１バイト長でコマンドの分類を識別するための識別子であるモードと、同じく１バイト長で実行されるコマンドの内容（機能）を示す情報であるイベントとでなっていて、主制御部２００は、コマンド変化時に自身が生成するストローブ信号（ＤＵＳＴＢ）の１つ目の立ち上がりを契機として、モード（ＭＯＤＥ）情報を送信し、次いでストローブ信号（ＤＵＳＴＢ）の２つ目の立ち上がりを契機として、イベント（ＥＶＥＮＴ）情報を送信する。
【００３１】これに対応して、特別図柄表示装置１００のＣＰＵ１０２０は、ストローブ信号が送信されてくると、割り込みを発生させ、この割り込み処理によってコマンドを受信してＲＡＭ１０９０に格納する。そして、この発明においては、主制御部２００が、コマンドを１つずつ特別図柄表示装置１００に送信するので、より細かな表示制御を行えると共に、必要なコマンドのみを供給することによって制御負担を抑制することができる。」
　
　以上、上記（ア）ないし（オ）の記載及び図面の記載を総合すると、引用例１には、
「主制御部２００には、遊技機の遊技状態を制御すると共に、特別図柄表示装置１００、ランプ表示装置１１０、１１２、効果音発生装置１１６、普通図柄表示装置１０８、始動口作動ソレノイド３００および大入賞口作動ソレノイド３０２が接続され、前記主制御部２００は各装置を制御するための制御信号を送信可能となっており、
　前記特別図柄表示装置１００は、前記主制御部２００からのストローブ信号やコマンドを受信するためのデータ受信回路１１４０と、受信したコマンドに基づいて表示制御に必要な制御データを生成して画像処理用ＬＳＩ１０６０に出力するＣＰＵ１０２０と、を有している遊技機において、
　前記コマンドは、１バイト長のモード（ＭＯＤＥ）情報と、１バイト長のイベント（ＥＶＥＮＴ）情報とでなっており、
　前記主制御部２００は、前記ストローブ信号の１つ目の立ち上がりを契機として、前記モード（ＭＯＤＥ）情報を送信し、次いで前記ストローブ信号の２つ目の立ち上がりを契機として、イベント（ＥＶＥＮＴ）情報を送信し、
　前記特別図柄表示装置１００のＣＰＵ１０２０は、前記ストローブ信号が送信されてくると、割り込みを発生させ、この割り込み処理によって前記モード（ＭＯＤＥ）情報と前記イベント（ＥＶＥＮＴ）情報を受信する遊技機。」の発明が開示されていると認めることができる（以下、この発明を「引用発明」という。）。
　
（３）対比
引用発明の「主制御部２００」は本願発明の「主制御手段」に相当する。以下同様に、
「コマンド」は「コマンド」に
「遊技機」は「遊技機」に、
「モード（ＭＯＤＥ）情報」は「モードデータ」に、
「イベント（ＥＶＥＮＴ）情報」は「イベントデータ」に、
「ストローブ信号」は「ストローブ信号」に、相当する。
　
　さらに、引用例１の記載等からみて、以下のことがいえる。
　
ａ．引用発明の主制御部２００には、遊技機の遊技状態を制御すると共に、特別図柄表示装置１００、ランプ表示装置１１０、１１２、効果音発生装置１１６、普通図柄表示装置１０８、始動口作動ソレノイド３００および大入賞口作動ソレノイド３０２が接続され、前記主制御部２００は各装置を制御するための制御信号を送信可能となっているから、遊技動作を統括しているといえる。
　そうすると、引用発明の遊技機は本願発明の「遊技動作を統括する主制御手段」に相当する手段を備えているといえる。
　
ｂ．引用発明の特別図柄表示装置１００は、前記主制御部２００からのストローブ信号やコマンドを受信するためのデータ受信回路１１４０と、受信したコマンドに基づいて表示制御に必要な制御データを生成して画像処理用ＬＳＩ１０６０に出力するＣＰＵ１０２０と、を有しており、主制御部２００からコマンドを受信し、受信したコマンドに基づいて画像処理用ＬＳＩ１０６０（本願発明の「周辺装置」に相当）の動作制御が行われるようになっているといえるので、
　引用発明の「特別図柄表示装置１００」及び「ＣＰＵ１０２０」は本願発明の「該主制御手段からのコマンドを受信し、受信したコマンドに応じて周辺装置の動作制御を行う副制御手段」に相当する手段といえる。
　
ｃ．引用発明の主制御部２００は、ストローブ信号の１つ目の立ち上がりを契機として、モード（ＭＯＤＥ）情報を送信し、次いでストローブ信号の２つ目の立ち上がりを契機として、イベント（ＥＶＥＮＴ）情報を送信し、特別図柄表示装置１００のＣＰＵ１０２０は、ストローブ信号が送信されてくると、割り込みを発生させ、この割り込み処理によってコマンドであるモード（ＭＯＤＥ）情報とイベント（ＥＶＥＮＴ）情報を受信しているから、
　引用発明は本願発明と「前記主制御手段は、前記コマンドを送信する際に、ストローブ信号を前記副制御手段に送信し、前記副制御手段は、前記ストローブ信号を契機として、前記モードデータ又は前記イベントデータを受信する」点で共通しているといえる。
　
　以上のことから、両者は、
＜一致点＞
「遊技動作を統括する主制御手段と、
　該主制御手段からのコマンドを受信し、受信したコマンドに応じて周辺装置の動作制御を行う副制御手段と、を備えた遊技機において、
　前記コマンドは、１バイト長のモードデータと、１バイト長のイベントデータと、からなり、
　前記主制御手段は、前記コマンドを送信する際に、ストローブ信号を前記副制御手段に送信し、
　前記副制御手段は、前記ストローブ信号を契機として、前記モードデータ又は前記イベントデータを受信する遊技機。」
　である点で一致し、以下の点で相違している。
　
＜相違点＞
　本願発明は、「前記主制御手段は、前記コマンドを送信する際に、１つのデータ有効信号及び１つのストローブ信号を前記副制御手段に送信し、前記副制御手段は、前記１つのデータ有効信号の受信に応じて割り込み処理を発生させ、前記割り込み処理によって、前記１つのストローブ信号の立ち上がりを契機として、前記モードデータを受信するとともに、前記１つのストローブ信号の立ち下がりを契機として、前記イベントデータを受信する」のに対して、
　引用発明は、主制御部２００がコマンドを送信する際にデータ有効信号を送信するかどうか不明であるため、特別図柄表示装置１００のＣＰＵ１０２０がデータ有効信号受信による割込処理をしているか不明であると共に、モード（ＭＯＤＥ）情報とイベント（ＥＶＥＮＴ）情報を受信する契機が異なり、また主制御部２００がコマンドを送信する際のストローブ信号の数が異なる点。
　
（４）判断
＜相違点＞について　
　拒絶理由通知において引用文献２として引用された特開２０００−３７５２９号公報（段落【００５１】、図１１等参照。以下「引用例２」という。）には、１つのストローブ信号の立ち上がりと立ち下がりを契機として、データを取得する点（以下「引用例２に記載の技術」という。）が記載されている。
　また、拒絶査定において言及しているように、受信側がデータ有効信号の受信に応じて割り込み処理を発生させ、該割り込み処理においてタイミング信号を契機としてデータを受信することは、特開２００１−９６００２号公報（段落【００１９】等参照。「ＳＴＡＲＴ信号」「ＳＴＢ信号」「コマンドデータ」がそれぞれ本願発明の「データ有効信号」「ストローブ信号」「コマンド」に相当する。）、特開平６−２７７３４５号公報（段落【００４５】、【００４８】、【００５１】、【００８８】〜【００９０】等参照。「ＬＷＲ信号」「ＬＣＥ信号」「表示図柄指定データ」がそれぞれ本願発明の「データ有効信号」「ストローブ信号」「コマンド」に相当する。）にも記載されているように、遊技機の分野において、従来周知の技術（以下「周知技術」という。）である。
　そして、引用発明と引用例２に記載の技術とは、遊技機においてデータを送受信する技術である点で共通しているから、
　引用発明において、割り込み処理について上記周知技術を適用するとともに、データ受信の契機について上記引用例２に記載の技術を適用して、相違点の構成とすることは、当業者が容易に想到し得たことである。
　
　そして、本願発明の効果は、引用発明、引用例２に記載の技術及び周知技術から当業者が予測できる範囲のものである。
　
　以上のように、本願発明は、引用発明、引用例２に記載の技術及び周知技術に基づいて、当業者が容易に発明をすることができたものである。
　
(３)むすび 
　以上のとおり、本願発明は、引用発明、引用例２に記載の技術及び周知技術に基づいて当業者が容易に発明をすることができたものであり、特許法第２９条第２項の規定により特許を受けることができない。
　
　よって、結論のとおり審決する。